(57)【特許請求の範囲】
【請求項１】
吸気肺活量と微細粉末薬剤吸入経路の空気流量を補正する空気取り入れ孔を備える微細粉末状治療薬剤吸入器を補助するために用いるシリコンラバー製の上部が左右両方向に広がり右側部に孔を有する筒体と前記筒体の下部に連設され正面及び背面が下に凸の弧状で左右が上に弧状に凹み内周面は正面、背面、左右端の下端部から前記筒体の下端に向かって窄まるラッパ状の接合部からなる本体と、
前記本体の上部に設け先端に保持材を備え前記保持材の幅より狭い左右右突起からなる切り取り可能に設けられた噛合部と、
前記本体の右側部の孔に嵌合させたリードとからなり、
微細粉末状治療薬剤吸入器のマウスピースに前記空気取り入れ孔を塞ぐことなく接合させ吸気が確実に行われた場合にのみリードから音が発生することを特徴とするリード付き微細粉末状治療薬剤吸入器補助具。
【発明の詳細な説明】
【技術分野】
【０００１】
本発明は、気管支喘息や慢性閉塞性肺疾患の患者が、治療用の微細粉末状薬剤を吸入器を使用して吸入する際に補助具として用いる、確実に吸入操作が行われたことを患者本人が確認できるよう、音が出る、リード付きの微細粉末状治療薬吸入器補助具である。
【背景技術】
【０００２】
従来、気管支喘息や慢性閉塞性肺疾患の治療薬は内服薬が主体であったが、その後、フロンガスを充填した小型ボンベによる液状の薬剤を噴霧・吸入するタイプの吸入器が開発された。
【０００３】
周知の如く、フロンガスは環境破壊の原因であり、人体への影響も懸念されるため、最近では微細粉末状の薬剤を患者本人が吸気の力で自己吸入する方式の治療薬が主流となりつつあり、そのため様々な構造・形態の微細粉末状治療薬剤吸入器が用いられている。
【０００４】
前記微細粉末状治療薬剤吸入器の共通点としては、患者自身の吸気によって、薬室内の微細粉末状の薬剤を巻き上げ、渦流を発生させたり、格子をくぐらせることにより、微細粉末を均等に拡散させ、マウスピースから患者口腔内、さらに気道内へと吸入させる点がある。また、吸気肺活量と微細粉末薬剤吸入経路の空気流量を補正し、呼吸困難を生じさせないための空気取り入れ孔が設けられている点がある。
【発明の概要】
【発明が解決しようとする課題】
【０００５】
しかしながら、前記の微細粉末状の治療薬剤を自己吸入する方式の従来の吸入器は、微細粉末状の治療薬剤が極めて微量であるため、患者本人が吸入を確実に行えたかどうかを確認できないという欠点がある。
【０００６】
また、特に、お年寄りや小児の患者では、吸入操作自体ができず、マウスピースを吹いてしまうことがあり、患者が治療薬を適切に使用することができないのが実状である。
【０００７】
そこで、本発明は、前記微細粉末状治療薬剤吸入器の有用性を最大限発揮し、吸入操作が正しく行われたかを利用者を含め、客観的にその都度確認することを可能にするために吸入器に取り付けて使用する吸入補助具を提供することを目的とするものである。
【課題を解決するための手段】
【０００８】
本発明であるリード付き微細粉末状治療薬剤吸入器補助具は、上記の課題を解決するために、シリコンラバー製の本体の右側面にリードを嵌合させ、従来から用いられている微細粉末状治療薬剤吸入器のマウスピース部分に取り付けることで、微細粉末状治療薬剤吸入器と患者の口の間に、リードを装着した補助具を介入させ、吸気操作が確実に行われた場合には、音が発生するようにしたことを特徴とするリード付き微細粉末状治療薬剤吸入器補助具の構成とした。
【発明の効果】
【０００９】
本発明であるリード付き微細粉末状治療薬剤吸入器補助具は、以下の効果が得られる。
【００１０】
第１に本発明であるリード付き微細粉末状治療薬剤吸入器補助具は、従来から使用されている様々な構成・形態の微細粉末状治療薬剤吸入器に取り付け使用することができるとともに、リードから音が出ることで治療薬を吸入する患者本人が、十分に治療薬剤を吸入できたことを確認することが可能となる。
【００１１】
第２に本発明であるリード付き微細粉末状治療薬剤吸入器補助具は口でくわえるだけでなく、歯で噛み固定して吸入を行うので、本発明を使用することで、吸入操作ができないお年寄りや小児の患者も治療薬剤を十分に吸入することができる。
【００１２】
第３に本発明であるリード付き微細粉末状治療薬剤吸入器補助具は、シリコンラバー製であるので随時洗浄して清潔に保つことができるとともに、微細粉末状治療薬剤吸入器補助具の使用方法に習熟したら噛合部を切り取ることができるので、長期間の使用が可能である。
【図面の簡単な説明】
【００１３】
【図１】本発明であるリード付き微細粉末状治療薬剤吸入器補助具の正面図である。
【図２】本発明であるリード付き微細粉末状治療薬剤吸入器補助具の右側面図である。
【図３】本発明であるリード付き微細粉末状治療薬剤吸入器補助具の左側面図である。
【図４】本発明であるリード付き微細粉末状治療薬剤吸入器補助具の平面図である。
【図５】本発明であるリード付き微細粉末状治療薬剤吸入器補助具の底面図である。
【図６】本発明であるリード付き微細粉末状治療薬剤吸入器補助具の断面図である。
【図７】本発明であるリード付き微細粉末状治療薬剤吸入器補助具に用いるリードの右側面図である。
【図８】本発明であるリード付き微細粉末状治療薬剤吸入器補助具に用いるリードの断面図である。
【図９】本発明であるリード付き微細粉末状治療薬剤吸入器補助具の機構を示す断面図である。
【図１０】本発明であるリード付き微細粉末状治療薬剤吸入器補助具をフルタイドディスカス（登録商標）に用いた状態の正面図である。
【図１１】本発明であるリード付き微細粉末状治療薬剤吸入器補助具をフルタイドディスカス（登録商標）に用いた状態の一部断面図である。
【図１２】本発明であるリード付き微細粉末状治療薬剤吸入器補助具をパルミコートタービュヘイラー（登録商標）に用いた状態の正面図である。
【図１３】本発明であるリード付き微細粉末状治療薬剤吸入器補助具をパルミコートタービュヘイラー（登録商標）に用いた状態の一部断面図である。
【図１４】本発明であるリード付き微細粉末状治療薬剤吸入器補助具をディスクヘラー（登録商標）に用いた状態の正面図である。
【図１５】本発明であるリード付き微細粉末状治療薬剤吸入器補助具をディスクヘラー（登録商標）に用いた状態の一部断面図である。
【発明を実施するための形態】
【００１４】
以下に、添付図面に基づき、本発明であるリード付き微細粉末状治療薬剤吸入器補助具について詳細に説明する。図１から図６は本発明であるリード付き微細粉末状治療薬剤吸入器補助具を示した図、図７及び図８は本発明であるリード付き微細粉末状治療薬剤吸入器補助具に使用するリードを示した図、図９は本発明であるリード付き微細粉末状治療薬剤吸入器補助具の機構を示した図、図１０から図１５は本発明であるリード付き微細粉末状治療薬剤吸入器補助具を従来の微細粉末状治療薬剤吸入器に取り付けた使用状態を示す図である。
【実施例１】
【００１５】
図１は本発明であるリード付き微細粉末状治療薬剤吸入器補助具の正面図、図２は本発明であるリード付き微細粉末状治療薬剤吸入器補助具の右側面図、図３は本発明であるリード付き微細粉末状治療薬剤吸入器補助具の左側面図、図４は本発明であるリード付き微細粉末状治療薬剤吸入器補助具の平面図、図５は本発明であるリード付き微細粉末状治療薬剤吸入器補助具の底面図、図６は本発明である微細粉末状治療薬剤吸入器補助具の断面図である。
【００１６】
本発明であるリード付き微細粉末状治療薬剤吸入器補助具１は、図１から図３に示すように、本体３と前記本体３の上部に設けられた噛合部２と前記本体３の右側部に取り付けられたリード４で構成されている。
【００１７】
本体３は上部が左右両方向に広がった筒体３ｂの上部に上端縁３ａが形成され、筒体３ｂの下部には正面接合片３ｃ、左端３ｄ、右端３ｅ、背面接合片３ｇからなりラッパ状に形成された接合部が設けられている。また、筒体３ｂの右側部にはリード４を差し込むための孔が形成されている。
【００１８】
本体３の上部に設けられた噛合部２は、先端に楕円形状の保持材２ｂを備えた左突起２ａ、前記左突起２ａと左右対称となる先端に楕円形状の保持材２ｆを備えた右突起２ｅから構成されている。
【００１９】
前記噛合部２の左突起２ａに設けられた保持材２ｂは、肉厚で上端２ｃから下端２ｄに向かって緩やかに湾曲している。また、前記保持材２ｂと同様に、右突起２ｅに設けられた保持材２ｆも上端２ｇから下端２ｈに向かって緩やかに湾曲している。
【００２０】
図４及び図５に示すように、本体３を形成する筒体３ｂの外周面３ｆは略楕円形状であり、同様に内周面３ｈも略楕円形状である。筒体３ｂの上端には吸入口３ｉが形成されている。
【００２１】
また、図５に示すように、本体３の下部に設けられている正面接合片３ｃ、左端３ｄ、右端３ｅ、背面接合片３ｇからなる接合部の接合部内周面３ｊは、接合口３ｋから筒体３ｂの下端に向かって窄まるように形成されている。
【００２２】
図６に示すように、筒体３ｂ内部の内周面３ｈ及び接合部内部の接合部内周面３ｊは、吸入経路５を形成し、筒体３ｂの右側部に嵌合されたリード４は、筒体３ｂよりもやや吸入経路５内に突出するようにして差し込まれている。
【００２３】
図７は本発明であるリード付き微細粉末状治療薬剤吸入器補助具に用いるリードの右側面図、図８は本発明であるリード付き微細粉末状治療薬剤吸入器補助具に用いるリードの断面図である。
【００２４】
図７及び図８に示すように、リード４は円筒状で、筒体４ａの右端には長方形状の孔４ｃが形成された半円形状の突出板４ｂが突設され、左端には半円形状の閉塞板４ｅが筒体４ａの左端上部に連設されている。
【００２５】
前記閉塞板４ｅには突出板４ｂの位置までの長さの弁４ｄが連設されている。前記弁４ｄによって筒体４ａ内は共鳴室４ｆと流動室４ｇに区切られており、弁４ｄと突出板４ｂの上部との間には隙間４ｈが形成されている。
【００２６】
空気６がリード４内に吸い込まれると、弁４ｄと突出板４ａの間に形成された隙間４ｈを空気６ａが通り抜ける際に弁４ｄが振動する。前記弁４ｄの振動が共鳴室４ｆ内で共鳴し、「ピー」という音７が発生する。
【００２７】
空気６ａが隙間４ｈを通り抜ける際に弁４ｄを振動させることで、リード４からは音が発せられ、空気６ｂは流動室４ｇを通り抜けてリード４の外部へ放出される。
【００２８】
図９は、本発明であるリード付き微細粉末状治療薬剤吸入器補助具の機構を示す断面図である。図９に示すように、患者がリード付き微細粉末状治療薬剤吸入器補助具１を使用する場合、噛合部２を口８にくわえ、左右突起２ａ、２ｅを歯で噛み固定する。その際、保持材２ｂ、２ｆで歯を保持するようにする。
【００２９】
患者は、噛合部２を口８にくわえて固定した状態で空気９を吸い込むと、リード付き微細粉末状治療薬剤吸入器補助具１の下部の接合口３ｋから空気９ａが吸入されると同時に、リード４からも空気６が吸入されるため、リード４は「ピー」という音７を発生させる。
【００３０】
前記接合口３ｋから吸入される空気９ａは、吸入経路５を通って口腔内に吸入され、リード４から吸入されて吸入経路５内に放出された空気６ｂも吸入経路５内で接合口３ｋから吸入された空気９ａと一緒になり、口腔内に吸入される。よって、リード付き微細粉末状治療薬剤吸入器補助具１を用いると、正しく空気を吸入できた時に「ピー」という音７が発生し、吸入操作が正しく行われたことがわかる。
【００３１】
本発明であるリード付き微細粉末状治療薬剤吸入器補助具１は、シリコンラバー製である。そのため、柔軟性・強靱性・安全性等に優れており、容易に洗浄することが可能である。また、シリコンラバー製であるため、本発明である微細粉末状治療薬剤吸入器補助具１の使用方法に習熟し、口８にくわえるだけで噛合部２の突起２ａ、２ｅを歯で噛んで固定しなくても使用することが可能になった場合には、突起２ａ、２ｅを容易に切り取ることが可能である。
【００３２】
また、本発明であるリード付き微細粉末状治療薬剤吸入器補助具１は、シリコンラバー製であるために、柔軟性に優れており、従来から用いられている各種の微細粉末状治療薬剤吸入器に取り付け使用することが可能である。
【００３３】
図１０から図１５には、本発明であるリード付き微細粉末状治療薬剤吸入器補助具を従来から用いられている各種の微細粉末状治療薬剤吸入器に取り付け使用している状態を示した。
【００３４】
図１０及び図１１は、従来から用いられているグラクソ・スミスクライン社製の微細粉末状治療薬剤吸入器であるフルタイドディスカス（登録商標）に本発明であるリード付き微細粉末状治療薬剤吸入器補助具を取り付けて使用している状態を示す図である。
【００３５】
図１０に示すように、従来から用いられている微細粉末状治療薬剤吸入器であるフルタイドディスカス（登録商標）１０に本発明であるリード付き微細粉末状治療薬剤吸入器補助具１を取り付け使用する場合の取付方法は、フルタイドディスカス（登録商標）１０のマウスピース１１をリード付き微細粉末状治療薬剤吸入器補助具１の正面接合片３ｃ、左端３ｄ、右端３ｅ、背面接合片３ｇからなる接合部の接合口３ｋに差し込み、接合させる。
【００３６】
前記リード付き微細粉末状治療薬剤吸入器補助具１の接合部は、ラッパ状の形状であるため、マウスピース１１に接合させると、マウスピース１１の左右が湾曲した形状にぴったりと合い、密着するようにして取り付けることができる。
【００３７】
図１１に示すように、リード付き微細粉末状治療薬剤吸入器補助具１を取り付けたフルタイドディスカス（登録商標）１０の使用方法は、先ず患者が噛合部２を口８にくわえ、噛合部２の突起２ａ、２ｅを歯で噛み固定し、空気９を吸い込む。
【００３８】
この時、リード付き微細粉末状治療薬剤吸入器補助具１は、フルタイドディスカス（登録商標）１０の本来持つ機構を邪魔することなくマウスピース１１部分を補助する目的でのみ取り付けられているので、治療薬剤を吸入するために必要な空気孔等を塞ぐことなく取り付けられている。
【００３９】
そのため、患者が噛合部２を口８にくわえ、空気９を吸い込むとフルタイドディスカス（登録商標）１０の空気孔から空気９ａが吸い込まれ、前記空気９ａが本体１０ｂ内に装着された薬室から治療薬剤１０ｃを巻き上げて、治療薬剤１０ｃとともにマウスピース１１からリード付き微細粉末状治療薬剤吸入器補助具１の吸入経路５内に放出され、吸入経路５を通り、口腔内に吸入される。
【００４０】
同時に、患者が空気９を吸い込むことでリード付き微細粉末状治療薬剤吸入器補助具１の右側面に差し込まれたリード４内にも空気６が吸い込まれ、弁４ｄを振動させて空気６ｂがリード付き微細粉末状治療薬剤吸入器補助具１内の吸入経路５に放出されるため、リード４が「ピー」という音７を発生させる。それにより、患者が正しく治療薬剤１０ｃを吸入できたことが分かる。
【００４１】
図１２及び図１３は、従来から使用されているアストラゼネカ社製の微細粉末状治療薬剤吸入器であるパルミコートタービュヘイラー（登録商標）に本発明であるリード付き微細粉末状治療薬剤吸入器補助具を取り付けて使用している状態を示す図である。
【００４２】
本発明であるリード付き微細粉末状治療薬剤吸入器補助具１を従来から使用されている微細粉末状治療薬剤吸入器であるパルミコートタービュヘイラー（登録商標）１２に取り付ける取付方法は、図１２に示すように、パルミコートタービュヘイラー（登録商標）１２の本体１３の上部に設けられたマウスピース１２ａをリード付き微細粉末状治療薬剤吸入器補助具１の接合口３ｋに差し込み接合させる。
【００４３】
図１２に示すように、リード付き微細粉末状治療薬剤吸入器補助具１をマウスピース１２ａに取り付けても、パルミコートタービュヘイラー（登録商標）１２の空気を取り入れるための空気取り入れ溝１３ｃは本体１３の筒体１３ａの上部外周面に縦長の形状で設けられ、更に空気孔１３ｅが筒体１３ａの下部に取り付けられた嵌合部１３ｆに設けられているため、リード付き微細粉末状治療薬剤吸入器補助具１がパルミコートタービュヘイラー（登録商標）１２の持つ空気の流入等の機構を塞ぐことはない。
【００４４】
図１３に示すように、本発明であるリード付き微細粉末状治療薬剤吸入器補助具１は、柔軟性のあるシリコンラバー製であるので、マウスピース１２ａの上方の窄まった部分は流入経路５内に差し込まれていてもマウスピース１２ａの下方の円筒部分にリード付き微細粉末状治療薬剤吸入器補助具１の内周面３ｈが密着し、しっかりと取り付けられる。
【００４５】
リード付き微細粉末状治療薬剤吸入器補助具１を取り付けたパルミコートタービュヘイラー（登録商標）の使用方法は、先ず、噛合部２を患者が口８にくわえ、突起２ａ、２ｅを歯で噛み固定し、空気９を吸い込む。
【００４６】
すると、パルミコートタービュヘイラー（登録商標）１２は本体１３に形成された空気取り入れ溝１３ｃ及び空気孔１３ｅから空気９ａ、９ａが本体１３内に取り込まれ、空気孔１３ｅから取り込まれた空気９ｂが吸入薬剤筒１３ｂ内の治療薬剤１２ｂを巻き上げマウスピース１２ａから空気９ｃとともに治療薬剤１２ｂが吸入経路５内に放出され、空気とともに治療薬剤１２ｂが口腔内に吸入される。
【００４７】
この時、同時にリード付き微細粉末状治療薬剤吸入器補助具１の右側面に差し込まれたリード４内にも空気６が吸い込まれ、弁４ｄを振動させた空気がリード４から吸入経路５内に放出され、「ピー」という音７を発生させる。そのため、患者は正しく治療薬剤１２ｂが口腔内に吸入できたことが分かる。
【００４８】
図１４及び図１５は、本発明であるリード付き微細粉末状治療薬剤吸入器補助具を従来から使用されている微細粉末状治療薬剤吸入器であるグラクソ・スミスクライン社製のディスクヘラー（登録商標）１４に取り付けて使用している状態を示す図である。
【００４９】
図１４に示すように、本発明であるリード付き微細粉末状治療薬剤吸入器補助具１をディスクヘラー（登録商標）１４に取り付ける取付方法は、ディスクヘラー（登録商標）１４のマウスピース１５をリード付き微細粉末状治療薬剤吸入器補助具１の接合口３ｋに差し込む。
【００５０】
図１５に示すように、本発明であるリード付き微細粉末状治療薬剤吸入器補助具１の筒体３ｂ内部の内周面３ｈの径は、マウスピース１５の左右側面に設けられた左右小孔１５ａ、１５ｂの上端部分の径と一致するため、内周面３ｈの下端部がマウスピース１５の左右小孔１５ａ、１５ｂの上端部分と密着し、固定される。従って、マウスピース１５全体をリード付き微細粉末状治療薬剤吸入器補助具１がすっぽりと覆うことなく、ディスクヘラー（登録商標）１４の本来からの機構を邪魔することなく、吸入操作を補助することができる。
【００５１】
即ち、筒体３ｂ内部の内周面３ｈの下端部がマウスピース１５の左右小孔１５ａ、１５ｂの上端部分と密着しているため、左右小孔１５ａ、１５ｂはリード付き微細粉末状治療薬剤吸入器補助具１の接合部内周面３ｊに周囲を覆われることになるが、接合部内周面３ｊは接合口３ｋに向かってラッパ状にその内周が大きくなっているため、左右小孔１５ａ、１５ｂは塞がれることなく、空気を取り入れることが可能であり、吸気肺活量と微細粉末状薬剤吸入経路の空気流量の差を補正し呼吸困難を生じないようにする為に設けられている左右小孔１５ａ、１５ｂの機能を損なうことがない。
【００５２】
リード付き微細粉末状治療薬剤吸入器補助具１を取り付けたディスクヘラー（登録商標）１４の使用方法は、先ず、マウスピース１５に取り付けたリード付き微細粉末状治療薬剤吸入器補助具１の噛合部２を口８にくわえ、左右突起２ａ、２ｅを歯で噛み固定し、空気９を吸い込む。
【００５３】
空気９が吸い込まれると、ディスクヘラー（登録商標）１４の本体１４ａに装着したロタディスク１６の表面に針部１４ｃによって開けられた表面孔１６ａから空気９ａがロタディスク１６内に取り込まれる。また、マウスピース１５に形成された左右小孔１５ａ、１５ｂからも空気９ａが取り込まれる。
【００５４】
前記ロタディスク１６の表面孔１６ａからロタディスク１６内に取り込まれた空気９ａは、ロタディスク１６内の治療薬剤１６ｂを巻き上げ本体１４ａからマウスピース１５内に放出され、左右小孔１５ａ、１５ｂからマウスピース１５内に取り込まれた空気９ａとともにリード付き微細粉末状治療薬剤吸入器補助具１の吸入経路５を通り、口腔内に吸入される。
【００５５】
この時、リード付き微細粉末状治療薬剤吸入器補助具１の筒体３ｂに差し込まれたリード４からも空気６が吸い込まれ、弁４ｄを振動させ、流動室４ｇを通って空気６ｂが吸入経路５に放出されるため、リード４は「ピー」という音７を発生させる。そのため、患者が正しく吸入操作を行った場合にのみ音７が発生し、患者自身が正しく吸入操作を行ったことを確認することができる。
【符号の説明】
【００５６】
１        リード付き微細粉末状治療薬剤吸入器補助具
２        噛合部
２ａ      左突起
２ｂ      保持材
２ｃ      上端
２ｄ      下端
２ｅ      右突起
２ｆ      保持材
２ｇ      上端
２ｈ      下端
３        本体
３ａ      上端縁
３ｂ      筒体
３ｃ      正面接合片
３ｄ      左端
３ｅ      右端
３ｆ      外周面
３ｇ      背面接合片
３ｈ      内周面
３ｉ      吸入口
３ｊ      接合部内周面
３ｋ      接合口
４        リード
４ａ      筒体
４ｂ      突出板
４ｃ      孔
４ｄ      弁
４ｅ      閉塞板
４ｆ      共鳴室
４ｇ      流動室
４ｈ      隙間
５        吸入経路
６        空気
６ａ      空気
６ｂ      空気
７        音
８        口
９        空気
９ａ      空気
９ｂ      空気
９ｃ      空気
１０        フルタイドディスカス（登録商標）
１０ｂ      本体
１０ｃ      治療薬剤
１１        マウスピース
１２        パルミコートタービュヘイラー（登録商標）
１２ａ      マウスピース
１２ｂ      治療薬剤
１３        本体
１３ａ      筒体
１３ｂ      吸入薬剤筒
１３ｃ      空気取り入れ溝
１３ｅ      空気孔
１３ｆ      嵌合部
１４        ディスクヘラー（登録商標）
１４ａ      本体
１４ｃ      針部
１５        マウスピース
１５ａ      左小孔
１５ｂ      右小孔
１６        ロタディスク
１６ａ      表面孔
１６ｂ      治療薬剤
【図１】
0004618545.tif 000002
【図２】
0004618545.tif 000003
【図３】
0004618545.tif 000004
【図４】
0004618545.tif 000005
【図５】
0004618545.tif 000006
【図６】
0004618545.tif 000007
【図７】
0004618545.tif 000008
【図８】
0004618545.tif 000009
【図９】
0004618545.tif 000010
【図１０】
0004618545.tif 000011
【図１１】
0004618545.tif 000012
【図１２】
0004618545.tif 000013
【図１３】
0004618545.tif 000014
【図１４】
0004618545.tif 000015
【図１５】
0004618545.tif 000016